(57)【要約】【課題】  レベル調整値と元素材の対応を取ることなく音声レベル調整が得られるようにした送出バンクシステムを提供すること。【解決手段】  ビデオサーバ１０４に複数の元素材１０１をファイリングし、放送用に編集した素材として記憶した後、ビデオサーバ１０４から読出すようにした送出バンクシステムにおいて、レベル判定部１０２により元素材１０１の音声信号レベルからレベル調整値を算出し、それをＡＮＣＩＬデータ書込部１０３により元素材１０１のＡＮＣＩＬデータと一緒に、対応する元素材１０１のＡＮＣＩＬ(領域)に書込む。そして、レベル調整部１０６は、ＡＮＣＩＬデータ読出部１０５から読出されたＡＮＣＩＬデータの中からレベル調整値を取り込み、ビデオサーバ１０４から読出されてくる各放送用素材の音声信号レベルを、いま取り込んだレベル調整値に基づいて調整し、実際に放送に使用される素材１０７として送出するようにしたもの。【選択図】  図１
2005210489.tif 000002
【特許請求の範囲】
【請求項１】
元素材をビデオサーバにファイリングして放送用の素材とした後、該ビデオサーバから読出して送出する方式の送出バンクシステムにおいて、
前記ビデオサーバに前記元素材をファイリングする際、前記元素材の音声信号レベルからレベル調整値を算出するレベル判定部と、
該レベル調整値を前記元素材のＡＮＣＩＬ領域に重畳して当該元素材を前記ビデオサーバにファイリングするＡＮＣＩＬデータ書込部と、
前記ビデオサーバから読出した放送用の素材のＡＮＣＩＬ領域から前記レベル調整値を読み取るＡＮＣＩＬデータ読出部と、
前記ＡＮＣＩＬ領域から読出したレベル調整値に基づいて、前記ビデオサーバから読出した放送用の素材の音声レベルを調整するレベル調整部とを備え、
前記ビデオサーバから読出された後、前記レベル調整部により音声レベルが調整された放送用の素材が送出されるように構成したことを特徴とする送出バンクシステム。
【発明の詳細な説明】
【技術分野】
【０００１】
本発明は、映像音声信号からなる放送素材をビデオサーバで処理する方式の送出バンクシステムに係り、特に、ビデオサーバから放送素材を送出する際、音声レベルを調整するようにした送出バンクシステムに関する。
【背景技術】
【０００２】
近年、放送局などでは、映像音声信号記録送出機器の一種であるビデオサーバを用い、放送予定の番組については、例えば磁気テープなどに記録してある複数の元素材を各元素材毎に順次読出し、ビデオサーバに放送素材として予め収納した上で読出し、送出／プレビューし、放送する方式が一般的に採られている(例えば、特許文献１参照。)。
【０００３】
ここで、このようなビデオサーバを用いたシステムは、送出バンクシステムと呼ばれているが、これは、例えば図３に示ように、ビデオサーバ１０４に複数の元素材１０１をファイリングし、放送用に編集した素材、いわゆる放送用素材として記憶した後、送出／プレビュー時、このビデオサーバ１０４から読出し、送信装置などに供給するようになっている。
【０００４】
ところで、この送出バンクシステムでは、実際に放送される素材が極端に異なった音声レベルになってしまうことがないように、送出時、事前にレベル調整(音声レベル調整)を行う場合がある。
【０００５】
そこで、この場合、従来技術では、まず、ファイリング時、図３に示すように、レベル判定部１０２により、元素材１０１の音声信号レベルからレベル調整値を算出し、それを当該元素材毎に管理してファイル１１０に記憶しておき、送出／プレビュー時、ファイル１１０から各元素材毎にレベル調整値を読出してレベル調整部１０６に入力し、ビデオサーバ１０４から読出されてくる各放送用素材の音声信号レベルを、いま読出したレベル調整値に基づいて調整し、実際に放送に使用される素材１０７としていた。
【０００６】
従って、この図３の従来技術における音声レベルの調整処理をフローチャートで表わすと、図４に示すようになり、この結果、実際に放送される素材が極端に異なった音声レベルになってしまう事態の発生を抑えることができる。
【０００７】
ここでＡＮＣＩＬ領域とは、ディジタルフォーマット方式の素材において、映像音声データ以外に、それとは別の情報(補助情報)、例えば番組や素材に関する情報を書込むために設定されているデータ領域のことで、ＡＮＣＩＬデータとは、このＡＮＣＩＬ(領域)に書込まれるデータのことである。
【０００８】
そして、このＡＮＣＩＬデータには、放送番組などを確認するためのデータが含まれるようになっており、従って、この従来技術では、図３に示されているように、ＡＮＣＩＬデータ書込部１０３とＡＮＣＩＬデータ読出部１０５を備え、ファイリング時と送出／プレビュー時において、ＡＮＣＩＬデータの書込処理と読出処理がそれぞれ実行されるようになっている。
【０００９】
なお、この図３では、ＡＮＣＩＬデータ読出部１０５で読出されたＡＮＣＩＬデータの処理については省略してある。
【特許文献１】特開２００１−１５７１６０号公報
【発明の開示】
【発明が解決しようとする課題】
【００１０】
従来技術は、レベル調整値の管理に配慮がされておらず、データ管理の簡略化に問題があった。つまり、従来技術では、レベル調整値が対応する元素材とは別にファイルされているので、レベル調整に際してレベル調整値と元素材の対応を取る必要があり、従って、データ管理の簡略化に問題が生じてしまうのである。
【００１１】
本発明の目的は、レベル調整値と元素材の対応を取ることなく音声レベル調整が得られるようにした送出バンクシステムを提供することにある。
【課題を解決するための手段】
【００１２】
上記目的は、元素材をビデオサーバにファイリングして放送用の素材とした後、該ビデオサーバから読出して送出する方式の送出バンクシステムにおいて、前記ビデオサーバに前記元素材をファイリングする際、前記元素材の音声信号レベルからレベル調整値を算出するレベル判定部と、該レベル調整値を前記元素材のＡＮＣＩＬ領域に重畳して当該元素材を前記ビデオサーバにファイリングするＡＮＣＩＬデータ書込部と、前記ビデオサーバから読出した放送用の素材のＡＮＣＩＬ領域から前記レベル調整値を読み取るＡＮＣＩＬデータ読出部と、前記ＡＮＣＩＬ領域から読出したレベル調整値に基づいて、前記ビデオサーバから読出した放送用の素材の音声レベルを調整するレベル調整部とを備え、前記ビデオサーバから読出された後、前記レベル調整部により音声レベルが調整された放送用の素材が送出されようにして達成される。
【発明の効果】
【００１３】
本発明によれば、素材のデータそのものにレベル調整値が書込まれているので、データの管理が簡略化され、この結果、音声レベル調整に必要な処理手順も簡略化され、効率的なシステム運用を得ることができる。
【発明を実施するための最良の形態】
【００１４】
以下、本発明による送出バンクシステムについて、図示の実施の形態により詳細に説明すると、ここで、図１が本発明の一実施形態である。
【００１５】
そして、この図１の実施形態でも、ビデオサーバ１０４に複数の元素材１０１をファイリングし、放送用に編集した素材、いわゆる放送用素材として記憶した後、送出／プレビュー時、このビデオサーバ１０４から読出し、送信装置などに供給するようになっている点は、既に図３で説明した従来技術による送出バンクシステムと同じである。
【００１６】
また、このとき、送出時、事前にレベル調整(音声レベル調整)を行うため、ファイリング時、レベル判定部１０２により、元素材１０１の音声信号レベルからレベル調整値を算出し、送出／プレビュー時、このレベル調整値をレベル調整部１０６に入力し、ビデオサーバ１０４から読出されてくる音声信号のレベルを、いま読出したレベル調整値に基づいて調整し、実際に放送に使用される素材１０７としている点も、従来技術による送出バンクシステムと同じである。
【００１７】
更に、このとき、ＡＮＣＩＬデータ書込部１０３とＡＮＣＩＬデータ読出部１０５を備え、ファイリング時と送出／プレビュー時において、ＡＮＣＩＬデータの書込処理と読出処理がそれぞれ実行されるようになっている点も、やはり従来技術による送出バンクシステムと同じである。
【００１８】
しかして、この実施形態では、ファイリング時、元素材１０１の音声信号レベルからレベル判定部１０２によりレベル調整値を算出したとき、それを、従来技術のようにファイル１１０(図３)に記憶するのではなく、ＡＮＣＩＬデータと一緒にＡＮＣＩＬデータ書込部１０３に入力するようになっている。
【００１９】
そして、これによりＡＮＣＩＬデータ書込部１０３は、レベル判定部１０２により算出されたレベル調整値を、このときの元素材１０１のＡＮＣＩＬデータと一緒に、対応する元素材１０１のＡＮＣＩＬ(領域)に書込んでゆく。
【００２０】
この結果、ビデオサーバ１０４に複数の元素材１０１がファイリングされ、放送用に編集した放送用素材がビデオサーバ１０４に記憶されたときは、各放送用素材のＡＮＣＩＬ(領域)には、ＡＮＣＩＬデータと一緒に、当該方法用素材に対応したレベル調整値が記憶されていることになる。
【００２１】
そうすると、この図１の実施形態では、次に、送出／プレビュー時、ビデオサーバ１０４から放送用素材が読出され、ＡＮＣＩＬデータ読出部１０５でＡＮＣＩＬデータが読出されたとき、これと一緒に、各放送用素材に対応したレベル調整値もＡＮＣＩＬデータ読出部１０５から読出されてくることになる。
【００２２】
そこで、この図１の実施形態では、レベル調整部１０６は、このＡＮＣＩＬデータ読出部１０５から読出されたＡＮＣＩＬデータの中からレベル調整値を取り込み、ビデオサーバ１０４から読出されてくる各放送用素材の音声信号レベルを、いま取り込んだレベル調整値に基づいて調整し、実際に放送に使用される素材１０７として送出する。
【００２３】
従って、この図１の実施形態による音声レベル調整処理をフローチャートで表わすと、図２に示すようになり、この結果、この実施形態によっても、実際に放送される素材が極端に異なった音声レベルになってしまう事態の発生を抑えることができる。
【００２４】
ここで、従来技術の場合、レベル調整値が対応する元素材とは別にファイルされているので、既に説明したように、レベル調整に際してレベル調整値と元素材の対応を取る必要がある。
【００２５】
一方、図１の実施形態では、放送用素材のレベル調整に必要なレベル調整値が当該放送用素材のＡＮＣＩＬ(領域)に書込まれているので、送出／プレビュー時、ビデオサーバ１０４から放送素材が読出されたとき、単にＡＮＣＩＬデータ読出部１０５からレベル調整値を取り込むだけで済む。
【００２６】
従って、この実施形態によれば、レベル調整値を別にファイルして管理する必要が無いので、データの管理が容易になり、且つ、ファイルのためのメモリが不要になるので、その分、構成の簡素化が得られる。
【００２７】
また、この実施形態によれば、送出／プレビュー時、ビデオサーバ１０４から読出されてくる各放送用素材のＡＮＣＩＬデータ読出部１０５からそのままレベル調整値が取り込めるので、音声レベル調整に必要な処理手順が簡略化され、効率的なシステム運用を図ることができる。
【００２８】
更に、この実施形態では、レベル調整値を元素材のＡＮＣＩＬデータと一緒にＡＮＣＩＬ(領域)に書込むようになっているので、元素材に別途、新たなデータ書込領域を設定する必要がなく、この点でも構成の簡素化が得られる。
【図面の簡単な説明】
【００２９】
【図１】本発明による送出バンクシステムの一実施形態を示すブロック図である。
【図２】本発明の一実施形態による音声レベル調整処理を説明するためのフローチャートである。
【図３】従来技術による送出バンクシステムの一例を示すブロック図である。
【図４】従来技術の一例による音声レベル調整処理を説明するためのフローチャートである。
【符号の説明】
【００３０】
１０１：元素材(実際に放送に使用される素材の元になる素材)
１０２：レベル判定部
１０３：ＡＮＣＩＬデータ書込部
１０４：ビデオサーバ
１０５：ＡＮＣＩＬデータ読出部
１０６：レベル調整部
１０７：素材(実際に放送に使用される素材)
【図１】
2005210489.tif 000003
【図２】
2005210489.tif 000004
【図３】
2005210489.tif 000005
【図４】
2005210489.tif 000006